【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
入力信号、例えば、音声信号を、前記入力信号の第一の長さの区間に適用される周波数領域への第一のＭＤＣＴ又は整数ＭＤＣＴ又はＤＣＴ−４変換を使用し、時間分解能の適応切り替えを使用し、その後、結果的に生じた周波数領域ビンの値の量子化及びエントロピ符号化を使用して符号化する方法であって、
前記切り替え、量子化、及び／又はエントロピ符号化の制御は、前記入力信号の心理音響分析に由来し、
前記第一のＭＤＣＴ又は整数ＭＤＣＴ又はＤＣＴ−４変換に続いて、前記変換済みの第一の長さの区間の第二の長さの区間に適用される第二のＭＤＣＴ又は整数ＭＤＣＴ又はＤＣＴ−４変換を実行することで、前記時間分解能の適応的な制御を行うステップであり、前記第二の長さは、前記第一の長さより短く、前記第一のＭＤＣＴ又は整数ＭＤＣＴ又はＤＣＴ−４変換の出力値又は前記第二のＭＤＣＴ又は整数ＭＤＣＴ又はＤＣＴ−４変換の出力値の何れかを前記量子化及びエントロピ符号化において処理し、
前記第一および第二の変換の前に、前記第一の長さ及び前記第二の長さの振幅値は、窓関数を使用して加重され、前記第一の長さ及び第二の長さの区間に対する重複加算処理が加えられ、遷移窓に対して、振幅値は非対称窓関数を使用して加重され、前記第二の長さの区間に対して、開始及び停止窓関数が使用される、前記時間分解能の適応的な制御を行うステップと、
符号化出力信号に対して、対応する時間分解能制御情報を副次的情報として添付するステップと、
を含む、前記方法。
【請求項２】
入力信号の第一の長さの区間に適用される周波数領域への第一のＭＤＣＴ又は整数ＭＤＣＴ又はＤＣＴ−４変換を使用して符号化された符号化信号、例えば、音声信号を復号化し、前記第一のＭＤＣＴ又は整数ＭＤＣＴ又はＤＣＴ−４変換に続いて、前記変換済みの第一の長さの区間の第二の長さの区間に適用される第二のＭＤＣＴ又は整数ＭＤＣＴ又はＤＣＴ−４変換を実行することで時間分解能を適応的に切り替え、前記第二の長さは、前記第一の長さより短く、前記第一のＭＤＣＴ又は整数ＭＤＣＴ又はＤＣＴ−４変換の出力値又は前記第二のＭＤＣＴ又は整数ＭＤＣＴ又はＤＣＴ−４変換の出力値の何れかを量子化及びエントロピ符号化において処理し、前記切り替え、量子化、及び／又はエントロピ符号化の制御は、前記入力信号の心理音響分析に由来し、対応する時間分解能制御情報を符号化出力信号に対して副次的情報として添付した符号化信号を復号化する方法であって、
前記符号化信号から前記副次的情報を提供するステップと、
前記符号化信号を逆量子化及びエントロピ復号化するステップと、
前記副次的情報に対応して、前記逆量子化及びエントロピ復号化信号の第一の長さの信号区間に作用し、復号化信号を提供する、時間領域への第一の逆ＭＤＣＴ又は整数ＭＤＣＴ又はＤＣＴ−４変換を実行するか、或いは、前記第一の逆ＭＤＣＴ又は整数ＭＤＣＴ又はＤＣＴ−４変換を実行する前に、第二の逆ＭＤＣＴ又は整数ＭＤＣＴ又はＤＣＴ−４変換において、前記逆量子化及びエントロピ復号化信号の第二の長さの区間を処理するステップと、
を含み、
前記第一及び第二の逆変換後に、前記第一の長さ及び前記第二の長さの振幅値は、窓関数を使用して加重され、前記第一の長さ及び第二の長さの区間に対する重複加算処理が加えられ、遷移窓に対して、振幅値は非対称窓関数を使用して加重され、前記第二の長さの区間に対して、開始及び停止窓関数が使用される、前記復号化方法。
【請求項３】
二つ以上の異なる第二の長さが使用される場合、利用する異なる第二の長さのトポロジを信号伝達するために、変化する時間分解能の領域を示す幾つかの指数、或いは復号化側でアクセス可能な対応するコードブックにおける一致するエントリを示す指数番号が、前記副次的情報に含まれる、請求項１又は２に記載の方法。
【請求項４】
二つ以上の異なる第二の長さが連続して使用される場合、長さは、低周波数線を表す周波数ビンを開始点として増加する、請求項１乃至３の何れかに記載の方法。
【請求項５】
前記トポロジは、
選択周波数帯域に対して、変換ビンのスペクトル電力を決定し、前記スペクトル電力値の算術平均値をその幾何平均値により割ることで、前記第一のＭＤＣＴ又は整数ＭＤＣＴ又はＤＣＴ−４変換を使用してスペクトル平坦性基準ＳＦＭを実行するステップと、
非加重入力信号区間をサブセグメント化し、ｍ個のサブセクションに対して加重及び短変換を実行し、こうした変換の周波数分解能は、選択周波数帯域に対応するステップと、
ｍ個の変換セグメントからなる各周波数線に対して、スペクトル電力を決定し、ｍ個のセグメントの幾何平均により割った算術平均を決定することで時間平坦性基準ＴＦＭを計算するステップと、
ＳＦＭベクトルを使用することで、音調又はノイズ周波数帯域を決定するステップと、
こうした帯域内での時間的変化を認識するために、ＴＦＭ値を使用し、閾値を使用して、前記確認されたノイズ周波数帯域のために、更に細かな時間分解能への切り替えを行うステップと、により決定される、請求項３又は４記載の方法。
【請求項６】
入力信号、例えば、音声信号を符号化する装置であって、
前記入力信号の第一の長さの区間を周波数領域へ変換するのに適した第一のＭＤＣＴ又は整数ＭＤＣＴ又はＤＣＴ−４変換手段と、
前記変換済みの第一の長さの区間の、前記第一の長さより短い第二の長さの区間を変換するのに適した第二のＭＤＣＴ又は整数ＭＤＣＴ又はＤＣＴ−４変換手段と、
前記第一のＭＤＣＴ又は整数ＭＤＣＴ又はＤＣＴ−４変換手段の出力値又は前記第二のＭＤＣＴ又は整数ＭＤＣＴ又はＤＣＴ−４変換手段の出力値を量子化及びエントロピ符号化するのに適した手段と、
前記量子化及び／又はエントロピ符号化を制御すると共に、前記第一のＭＤＣＴ又は整数ＭＤＣＴ又はＤＣＴ−４変換手段の出力値又は前記第二のＭＤＣＴ又は整数ＭＤＣＴ又はＤＣＴ−４変換手段の出力値が前記量子化及びエントロピ符号化手段において処理されるかについて、適応的に、前記入力信号の心理音響分析に由来する制御を行うのに適した手段であって、
前記第一および第二の変換の前に、前記第一の長さ及び前記第二の長さの振幅値は、窓関数を使用して加重され、前記第一の長さ及び第二の長さの区間に対する重複加算処理が加えられ、遷移窓に対して、振幅値は非対称窓関数を使用して加重され、前記第二の長さの区間に対して、開始及び停止窓関数が使用される、前記制御を行うのに適した手段と、
符号化装置出力信号に対して、対応する時間分解能制御情報を副次的情報として添付するのに適した手段と、
を含む、前記装置。
【請求項７】
入力信号の第一の長さの区間に適用される周波数領域への第一のＭＤＣＴ又は整数ＭＤＣＴ又はＤＣＴ−４変換を使用して符号化された符号化信号、例えば、音声信号を復号化し、前記第一のＭＤＣＴ又は整数ＭＤＣＴ又はＤＣＴ−４変換に続いて、前記変換済みの第一の長さの区間の第二の長さの区間に適用される第二のＭＤＣＴ又は整数ＭＤＣＴ又はＤＣＴ−４変換を実行することで時間分解能を適応的に切り替え、前記第二の長さは、前記第一の長さより短く、前記第一のＭＤＣＴ又は整数ＭＤＣＴ又はＤＣＴ−４変換の出力値又は前記第二のＭＤＣＴ又は整数ＭＤＣＴ又はＤＣＴ−４変換の出力値の何れかを量子化及びエントロピ符号化において処理し、前記切り替え、量子化、及び／又はエントロピ符号化の制御は、前記入力信号の心理音響分析に由来し、対応する時間分解能制御情報を符号化出力信号に対して副次的情報として添付した符号化信号を復号化する装置であって、
前記符号化信号から前記副次的情報を提供すること及び前記符号化信号を逆量子化及びエントロピ復号化することに適した手段と、
前記副次的情報に対応して、前記逆量子化及びエントロピ復号化信号の第一の長さの信号区間に作用し、復号化信号を提供する、時間領域への第一の逆ＭＤＣＴ又は整数ＭＤＣＴ又はＤＣＴ−４変換を実行するか、或いは、前記第一の逆ＭＤＣＴ又は整数ＭＤＣＴ又はＤＣＴ−４変換を実行する前に、第二の逆ＭＤＣＴ又は整数ＭＤＣＴ又はＤＣＴ−４変換において、前記逆量子化及びエントロピ復号化信号の第二の長さの区間を処理するのに適した手段と、
を含み、
前記第一及び第二の逆変換後に、前記第一の長さ及び前記第二の長さの振幅値は、窓関数を使用して加重され、前記第一の長さ及び第二の長さの区間に対する重複加算処理が加えられ、遷移窓に対して、振幅値は非対称窓関数を使用して加重され、前記第二の長さの区間に対して、開始及び停止窓関数が使用される、前記装置。
【請求項８】
二つ以上の異なる第二の長さが使用される場合、利用する異なる第二の長さのトポロジを信号伝達するために、変化する時間分解能の領域を示す幾つかの指数、或いは復号化側でアクセス可能な対応するコードブックにおける一致するエントリを示す指数番号が、前記副次的情報に含まれる、請求項６又は７記載の装置。
【請求項９】
二つ以上の異なる第二の長さが連続して使用される場合、長さは、低周波数線を表す周波数ビンを開始点として増加する、請求項６乃至８の何れかに記載の装置。
【請求項１０】
前記トポロジは、
選択周波数帯域に対して、変換ビンのスペクトル電力を決定し、前記スペクトル電力値の算術平均値をその幾何平均値により割ることで、前記第一のＭＤＣＴ又は整数ＭＤＣＴ又はＤＣＴ−４変換を使用してスペクトル平坦性基準ＳＦＭを実行するステップと、
非加重入力信号区間をサブセグメント化し、ｍ個のサブセクションに対して加重及び短変換を実行し、こうした変換の周波数分解能は、選択周波数帯域に対応するステップと、
ｍ個の変換セグメントからなる各周波数線に対して、スペクトル電力を決定し、ｍ個のセグメントの幾何平均により割った算術平均を決定することで時間平坦性基準ＴＦＭを計算するステップと、
ＳＦＭベクトルを使用することで、音調又はノイズ周波数帯域を決定するステップと、
こうした帯域内での時間的変化を認識するために、ＴＦＭ値を使用し、閾値を使用して、前記確認されたノイズ周波数帯域のために、更に細かな時間分解能への切り替えを行うステップと、により決定される、請求項８又は９記載の装置。
【請求項１１】
請求項１乃至５の何れかに記載の方法により符号化されたデジタル映像信号。
【請求項１２】
請求項１１記載のデジタル映像信号を収容又は格納する、或いは請求項１１記載のデジタル映像信号が記録された、記憶媒体、例えば光ディスク。
【請求項１３】
透かし埋め込み器における、請求項１乃至５のいずれかに記載の方法の使用。
【手続補正２】
【補正対象書類名】図面
【補正対象項目名】図１
【補正方法】変更
【補正の内容】
【図１】
2008310327.tif 000001